(57)【特許請求の範囲】
【請求項１】
固定部と、位置決めに応じて光ディスクの対応する位置に移動する可動部とに分離された光ピックアップの、前記可動部を構成する浮上型光ヘッドであって、
前記固定部は、レーザと、当該レーザから射出された光を光ファイバに入射させる光学系を有し、
前記固定部から前記可動部への光信号が前記光ファイバによって伝搬され、
前記可動部において検出した電気信号が導電線によって前記固定部へ伝送され、
前記可動部は、
前記光ディスクの半径方向に移動するアームと、
当該アームの下面に上端部が固定されたサスペンションと、
当該サスペンションの下端部に固定されたスライダと、
当該スライダに固定され、前記光ディスクと対向する、１個のみの対物レンズと、
前記アームの下面に固定された第１および第２の光検出器を有する集積回路と、
当該集積回路の前記第１および第２の光検出器と対応して設けられ、入出射光面が前記アームの下面に対して４５°傾斜しており、前記アームの下面に平行な第１および第２の面を有する、プリズムと、
前記プリズムの前記傾斜面に設けられた、一枚のみの板状のハーフミラーと、
を有し、
前記サスペンションに固定された前記スライダおよび当該スライダに固定された前記対物レンズが、前記サスペンションに懸垂され、前記光ディスクの回転により浮上し、
前記固定部から前記光ファイバを伝搬された光が、前記プリズムの前記傾斜面に設けられた前記ハーフミラーに入射し、当該入射した光が前記対物レンズに向けて偏向されて前記光ディスクに導かれ、前記光ディスクからの戻り光が前記対物レンズを介して前記プリズムの前記傾斜面に設けられた前記ハーフミラーに入射して前記アーム側の前記プリズムの第１の面の第１の位置に到達し、当該第１の面に到達した光が反射して前記第１の面と対向する第２の面に向かって到達し、さらに当該第２の面に到達した光が反射して前記第１の面の第２の位置に到達し、
前記第１の位置に前記第１の光検出器が配置され、前記第２の位置に前記第２の光検出器が配置され、
前記第１の光検出器および前記第２の光検出器で検出された電気信号が、前記導電線によって前記固定部に伝送される、
浮上型光ヘッド。
【請求項２】
前記ハーフミラーは、前記光ファイバから放射された前記光を反射して前記対物レンズに供給し、前記光ディスクで反射した前記光を透過する誘電体多層膜であり、
前記対物レンズは、前記光ディスクで反射した前記光を、前記誘電体多層膜を介して前記光検出器に供給する、
請求項１記載の浮上型光ヘッド。
【請求項３】
前記光ファイバは、可撓性の単一モードの光ファイバである
請求項１記載の浮上型光ヘッド。
【請求項４】
固定部と、位置決めに応じて光ディスクの対応する位置に移動する可動部とに分離された光ピックアップを有する、光ディスク装置であって、
前記固定部から前記可動部への光信号を伝搬する光ファイバと、
前記可動部において検出した電気信号を前記固定部へ伝送する導電線と
を有し、
前記固定部は、
シャーシと、
前記シャーシに固定されたレーザと、
当該レーザから射出された光を光ファイバに入射させる光学系と、
を有し、
前記可動部は、
前記光ディスクの半径方向に移動するアームと、
当該アームの下面に上端部が固定されたサスペンションと、
当該サスペンションの下端部に固定されたスライダと、
当該スライダに固定され、前記光ディスクと対向する、１個のみの対物レンズと、
前記アームの下面に固定された第１および第２の光検出器を有する集積回路と、
当該集積回路の前記第１および第２の光検出器と対応して設けられ、入出射光面が前記アームの下面に対して４５°傾斜しており、前記アームの下面に平行な第１および第２の面を有する、プリズムと、
前記プリズムの前記傾斜面に設けられた、一枚のみの板状のハーフミラーと、
を有し、
前記サスペンションに固定された前記スライダおよび当該スライダに固定された前記対物レンズが、前記サスペンションに懸垂され、前記光ディスクの回転により浮上する、浮上型光ヘッドを構成し、
前記固定部から前記光ファイバを伝搬された光が、前記プリズムの前記傾斜面に設けられた前記ハーフミラーに入射し、当該入射した光が前記対物レンズに向けて偏向されて前記光ディスクに導かれ、前記光ディスクからの戻り光が前記対物レンズを介して前記プリズムの前記傾斜面に設けられた前記ハーフミラーに入射して前記アーム側の前記プリズムの第１の面の第１の位置に到達し、当該第１の面に到達した光が反射して前記第１の面と対向する第２の面に向かって到達し、さらに当該第２の面に到達した光が反射して前記第１の面の第２の位置に到達し、
前記第１の位置に前記第１の光検出器が配置され、前記第２の位置に前記第２の光検出器が配置され、
前記第１の光検出器および前記第２の光検出器で検出された電気信号が、前記導電線によって前記固定部に伝送される、
光ディスク装置。
【請求項５】
前記ハーフミラーは、前記光ファイバから放射された前記光を反射して前記対物レンズに供給し、前記光ディスクで反射した前記光を透過する誘電体多層膜であり、
前記対物レンズは、前記光ディスクで反射した前記光を、前記誘電体多層膜を介して前記光検出器に供給する、
請求項４記載の光ディスク装置。
【請求項６】
前記光ファイバは、可撓性の単一モードの光ファイバであり、
前記浮上型光ヘッドの出力信号は、可撓性の前記導電線を介して前記固体部に伝送される、
請求項４記載の光ディスク装置。
【請求項７】
前記レーザからの前記光は強度変調されており、
前記光の強度が変化する周波数は１００ＭＨｚ〜９００ＭＨｚの範囲内である、  請求項４記載の光ディスク装置。
【請求項８】
当該光ディスク装置は、トラッキング誤差信号に基づいて前記アームを移動させるアクチュエータをさらに有し、
前記固定部は、前記浮上型光ヘッドの出力信号に基づいて前記トラッキング誤差信号を生成する、
請求項４記載の光ディスク装置。
【発明の詳細な説明】
【０００１】
【発明の属する技術分野】
本発明は、光ディスク装置と、この光ディスク装置に用いられる光ヘッドとに関する。
【０００２】
【従来の技術】
近年、光ディスクに関し、大容量化、データ転送の高速化およびアクセス時間の短縮化の要求がある。
光ディスクのアクセス時間は、光ピックアップを素早く移動させることで、短縮化が可能である。
【０００３】
【発明が解決しようとする課題】
図１は、光ディスク装置の第１の例を示す概略的な構成図である。
この光ディスク装置９０1 は、アクチュエータ４５1 と、アーム７２1 と、光ファイバ７１と、光ヘッド５０Ａ1 と、固定部５０Ｂ1 と、モータ３０と、信号処理回路９５1 と、シャーシ９９とを有する。光ヘッド５０Ａ1 は、アーム７２1 の先端部のうち光ディスク８０側の面である底面に取り付けてある。
【０００４】
光ディスク装置９０1 は、光ピックアップを、固定部５０Ｂ1 と、可動部である光ヘッド５０Ａ1 とに分離した構成である。
固定部５０Ｂ1 および信号処理回路９５1 は、シャーシ９９に取り付けられて固定されており、光ヘッド５０Ａ1 はディスク半径方向に移動可能である。
【０００５】
固定部５０Ｂ1 は、半導体レーザを有し、この半導体レーザからのレーザ光を光ファイバ７１に送り込む。
光ヘッド５０Ａ1 は、光ファイバ７１からのレーザ光を光ディスク８０のトラックに集光する。光ディスク８０は、光ヘッド５０Ａ1 からのレーザ光ＬＢ1 が照射され、当該レーザ光ＬＢ1 を反射して光ヘッド５０Ａ1 に戻す。
光ヘッド５０Ａ1 は、光ディスク８０で反射したレーザ光（反射レーザ光）を光ファイバ７１に送り込む。
固定部５０Ｂ1 は、光ファイバ７１からの反射レーザ光を受光して受光信号を生成し、この受光信号を信号処理回路９５1 に出力する。
【０００６】
信号処理回路９５1 は、固定部５０Ｂ1 からの受光信号に基づいて光ディスク８０の記録情報を検出し、当該記録情報を信号Ｓｏとして出力する。
また、信号処理回路９５1 は、モータ駆動信号Ｓｍを生成する。モータ３０は、モータ駆動信号Ｓｍに基づいて光ディスク８０を所定の回転速度で回転させる。
【０００７】
また、信号処理回路９５1 は、駆動信号Ｓｃを生成する。アクチュエータ４５1 は、駆動信号Ｓｃに基づいてアーム７２1 を方向Ａまたはその反対方向に移動させることにより、光ヘッド５０Ａ1 を光ディスク８０の半径方向または反半径方向に移動させる。
【０００８】
図２は、図１中の光ヘッドおよびその周辺を拡大した概略的な構成図である。
この光ヘッド５０Ａ1 は、ミラー２５および対物レンズ２を有する。
ミラー２５は、光ファイバ７１の端面から放射されたレーザ光を反射して対物レンズ２に供給する。
対物レンズ２は、ミラー２５からのレーザ光を光ディスク８０の記録面に照射する。対物レンズ２からのレーザ光ＬＢ1 は、光ディスク８０の記録面のトラックに焦点を結ぶ。
【０００９】
また、対物レンズ２は、光ディスク８０の記録面で反射したレーザ光（戻りレーザ光）をミラー２５に戻す。
ミラー２５は、対物レンズ２からの戻りレーザ光を反射して光ファイバ７１に送り込む。
【００１０】
図３は、図１中の固定部を示す概略的な構成図である。
この固定部５０Ｂ1 は、半導体レーザ４と、コリメータレンズ５と、ビーム整形用の光学部品９と、ビームスプリッタ３と、集光レンズ７と、光検出器８とを有する。
【００１１】
半導体レーザ４は、レーザ光をコリメータレンズ５に供給する。
コリメータレンズ５は、半導体レーザ４からのレーザ光を平行光にして光学部品９に供給する。
ビーム整形用の光学部品９は、コリメータレンズ５からの平行光を、光ファイバ７１に対して効率良くカップリングするために、当該平行光のビーム形状を整形してビームスプリッタ３に供給する。
【００１２】
ビームスプリッタ３は、光学部品９からのレーザ光を透過して集光レンズ７に供給する。
集光レンズ７は、ビームスプリッタ３からのレーザ光を光ファイバ７１の端面に集光し、当該レーザ光を光ファイバ７１に送り込む。
【００１３】
また、集光レンズ７は、光ヘッド５０Ａ1 から光ファイバ７１を介して供給される反射レーザ光（戻りレーザ光）を、ビームスプリッタ３に供給する。
ビームスプリッタ３は、集光レンズ７からの戻りレーザ光を反射して光検出器８に供給する。
光検出器８は、ビームスプリッタ３からの戻りレーザ光に応じた受光信号を生成して信号処理回路９５1 に供給する。
【００１４】
図１〜図３に示す光ディスク装置９０1 の光ヘッド５０Ａ1 では、光ディスク８０からの戻りレーザ光を光ファイバ７１に送り込むので、光ファイバ７１、ミラー２５等の配置にサブミクロンオーダの高精度が必要であり、光ヘッド５０Ａ1 の製造に手間がかかる。
また、光ヘッド５０Ａ1 は可動部であり、ディスク半径方向に移動するので、移動時の振動により、戻りレーザ光の結合効率が変化することがある。このため、光ファイバ７１に対して戻りレーザ光を効率良く送り込むことが難しく、信号品質が変動するおそれがある。
【００１５】
図４は、光ディスク装置の第２の例を示す概略的な構成図である。
この光ディスク装置９０2 は、アクチュエータ４５2 と、アーム７２2 と、光ファイバ７１と、信号線７９2 と、光ヘッド５０Ａ2 と、固定部５０Ｂ2 と、モータ３０と、信号処理回路９５2 と、シャーシ９９とを有する。光ヘッド５０Ａ2 は、アーム７２2 の先端部のうち光ディスク８０側の面である底面に取り付けてある。
【００１６】
光ディスク装置９０2 は、光ピックアップを、固定部５０Ｂ2 と、可動部である光ヘッド５０Ａ2 とに分離した構成である。
固定部５０Ｂ2 および信号処理回路９５2 は、シャーシ９９に取り付けられて固定されており、光ヘッド５０Ａ2 はディスク半径方向に移動可能である。
【００１７】
固定部５０Ｂ2 は、半導体レーザを有し、この半導体レーザからのレーザ光を光ファイバ７１に送り込む。
光ヘッド５０Ａ2 は、光ファイバ７１からのレーザ光を光ディスク８０に集光する。光ディスク８０は、光ヘッド５０Ａ2 からのレーザ光ＬＢ2 が照射され、当該レーザ光ＬＢ2 を反射して光ヘッド５０Ａ2 に戻す。
光ヘッド５０Ａ2 は、光ディスク８０で反射したレーザ光（反射レーザ光）を受光して受光信号Ｓｑを生成し、この受光信号Ｓｑを信号線７９2 を介して信号処理回路９５2 に供給する。
【００１８】
信号処理回路９５2 は、信号線７９2 からの受光信号Ｓｑに基づいて光ディスク８０の記録情報を検出し、当該記録情報を信号Ｓｏとして出力する。
また、信号処理回路９５2 は、モータ駆動信号Ｓｍを生成する。モータ３０は、モータ駆動信号Ｓｍに基づいて光ディスク８０を所定の回転速度で回転させる。
【００１９】
また、信号処理回路９５2 は、駆動信号Ｓｃを生成する。アクチュエータ４５2 は、駆動信号Ｓｃに基づいてアーム７２2 を方向Ａまたはその反対方向に移動させることにより、光ヘッド５０Ａ2 を光ディスク８０の半径方向または反半径方向に移動させる。
【００２０】
図５は、図４中の光ヘッドおよびその周辺を拡大した概略的な構成図である。
この光ヘッド５０Ａ2 は、集光レンズ２６と、光導波路素子２７と、光検出器２８と、対物レンズ２とを有する。
集光レンズ２６は、光ファイバ７１の端面から放射されたレーザ光を集光して光導波路素子２７に供給する。
光導波路素子２７は、集光レンズ２６からのレーザ光を回折または屈折させて対物レンズ２に供給する。
【００２１】
対物レンズ２は、光導波路素子２７からのレーザ光を光ディスク８０の記録面に照射する。対物レンズ２からのレーザ光ＬＢ2 は、光ディスク８０の記録面のトラックに焦点を結ぶ。
また、対物レンズ２は、光ディスク８０の記録面で反射したレーザ光（反射レーザ光）を光導波路素子２７に戻す。
光導波路素子２７は、対物レンズ２からの反射レーザ光を透過して光検出器２８に供給する。
光検出器２８は、対物レンズ２からの反射レーザ光を受光して受光信号Ｓｑを生成し、この受光信号Ｓｑを信号線７９2 を介して信号処理回路９５2 に供給する。
【００２２】
図６は、図４中の固定部を示す概略的な構成図である。
この固定部５０Ｂ2 は、半導体レーザ４と、コリメータレンズ５と、ビーム整形用の光学部品９と、集光レンズ７とを有する。
【００２３】
半導体レーザ４は、レーザ光をコリメータレンズ５に供給する。
コリメータレンズ５は、半導体レーザ４からのレーザ光を平行光にして光学部品９に供給する。
ビーム整形用の光学部品９は、コリメータレンズ５からの平行光を、光ファイバ７１に対して効率良くカップリングするために、当該平行光のビーム形状を整形して集光レンズ７に供給する。
集光レンズ７は、光学部品９からのレーザ光を光ファイバ７１の端面に集光し、当該レーザ光を光ファイバ７１に送り込む。
【００２４】
図４〜図６の光ディスク装置９０2 の光ヘッド５０Ａ2 では、光ファイバ７１から放射されたレーザ光を集光レンズ２６を介して光導波路素子２７に供給している。このため、光ファイバ７１、集光レンズ２６、光導波路素子２７等の配置にサブミクロンオーダの高精度が必要であり、光ヘッド５０Ａ2 の製造に手間がかかる。
また、光ヘッド５０Ａ2 は可動部であり、ディスク半径方向に移動するので、移動時の振動により、レーザ光の結合効率が変化することがある。このため、光導波路素子２７に対して光ファイバ７１からのレーザ光を効率良く送り込むことが難しく、信号品質が変動するおそれがある。
【００２５】
本発明の目的は、レーザ光の利用効率を高くすることが可能であると共に、構成部品の配置精度を低減することが可能な光ヘッドと、この光ヘッドを用いた光ディスク装置とを提供することにある。
【００２６】
【課題を解決するための手段】
本発明によれば、固定部と、位置決めに応じて光ディスクの対応する位置に移動する可動部とに分離された光ピックアップの、前記可動部を構成する浮上型光ヘッドであって、
前記固定部は、レーザと、当該レーザから射出された光を光ファイバに入射させる光学系を有し、
前記固定部から前記可動部への光信号が前記光ファイバによって伝搬され、
前記可動部において検出した電気信号が導電線によって前記固定部へ伝送され、
前記可動部は、
前記光ディスクの半径方向に移動するアームと、
当該アームの下面に上端部が固定されたサスペンションと、
当該サスペンションの下端部に固定されたスライダと、
当該スライダに固定され、前記光ディスクと対向する、１個のみの対物レンズと、
前記アームの下面に固定された第１および第２の光検出器を有する集積回路と、
当該集積回路の前記第１および第２の光検出器と対応して設けられ、入出射光面が前記アームの下面に対して４５°傾斜しており、前記アームの下面に平行な第１および第２の面を有する、プリズムと、
前記プリズムの前記傾斜面に設けられた、一枚のみの板状のハーフミラーと、
を有し、
前記サスペンションに固定された前記スライダおよび当該スライダに固定された前記対物レンズが、前記サスペンションに懸垂され、前記光ディスクの回転により浮上し、
前記固定部から前記光ファイバを伝搬された光が、前記プリズムの前記傾斜面に設けられた前記ハーフミラーに入射し、当該入射した光が前記対物レンズに向けて偏向されて前記光ディスクに導かれ、前記光ディスクからの戻り光が前記対物レンズを介して前記プリズムの前記傾斜面に設けられた前記ハーフミラーに入射して前記アーム側の前記プリズムの第１の面の第１の位置に到達し、当該第１の面に到達した光が反射して前記第１の面と対向する第２の面に向かって到達し、さらに当該第２の面に到達した光が反射して前記第１の面の第２の位置に到達し、
前記第１の位置に前記第１の光検出器が配置され、前記第２の位置に前記第２の光検出器が配置され、
前記第１の光検出器および前記第２の光検出器で検出された電気信号が、前記導電線によって前記固定部に伝送される、
浮上型光ヘッドが提供される。
【００２８】
本発明に係る浮上型光ヘッドでは、好適には、前記ハーフミラーは、前記光ファイバから放射された前記レーザ光を反射して前記対物レンズに供給し、前記光ディスクで反射した前記レーザ光を透過する誘電体多層膜であり、前記対物レンズは、前記光ディスクで反射した前記レーザ光を、前記誘電体多層膜を介して前記光検出器に供給する。
【００２９】
本発明に係る浮上型光ヘッドでは、好適には、前記光ファイバは、可撓性の単一モードの光ファイバである。
【００３０】
本発明によれば、固定部と、位置決めに応じて光ディスクの対応する位置に移動する可動部とに分離された光ピックアップを有する、光ディスク装置であって、
前記固定部から前記可動部への光信号を伝搬する光ファイバと、前記可動部において検出した電気信号を前記固定部へ伝送する導電線とを有し、
前記固定部は、シャーシと、前記シャーシに固定されたレーザと、当該レーザから射出された光を光ファイバに入射させる光学系と、を有し、
前記可動部は、
前記光ディスクの半径方向に移動するアームと、
当該アームの下面に上端部が固定されたサスペンションと、
当該サスペンションの下端部に固定されたスライダと、
当該スライダに固定され、前記光ディスクと対向する、１個のみの対物レンズと、
前記アームの下面に固定された第１および第２の光検出器を有する集積回路と、
当該集積回路の前記第１および第２の光検出器と対応して設けられ、入出射光面が前記アームの下面に対して４５°傾斜しており、前記アームの下面に平行な第１および第２の面を有する、プリズムと、
前記プリズムの前記傾斜面に設けられた、一枚のみの板状のハーフミラーと、
を有し、
前記サスペンションに固定された前記スライダおよび当該スライダに固定された前記対物レンズが、前記サスペンションに懸垂され、前記光ディスクの回転により浮上する、浮上型光ヘッドを構成し、
前記固定部から前記光ファイバを伝搬された光が、前記プリズムの前記傾斜面に設けられた前記ハーフミラーに入射し、当該入射した光が前記対物レンズに向けて偏向されて前記光ディスクに導かれ、前記光ディスクからの戻り光が前記対物レンズを介して前記プリズムの前記傾斜面に設けられた前記ハーフミラーに入射して前記アーム側の前記プリズムの第１の面の第１の位置に到達し、当該第１の面に到達した光が反射して前記第１の面と対向する第２の面に向かって到達し、さらに当該第２の面に到達した光が反射して前記第１の面の第２の位置に到達し、
前記第１の位置に前記第１の光検出器が配置され、前記第２の位置に前記第２の光検出器が配置され、
前記第１の光検出器および前記第２の光検出器で検出された電気信号が、前記導電線によって前記固定部に伝送される、
光ディスク装置が提供される。
【００３２】
本発明に係る光ディスク装置では、好適には、前記ハーフミラーは、前記光ファイバから放射された前記レーザ光を反射して前記対物レンズに供給し、前記光ディスクで反射した前記レーザ光を透過する誘電体多層膜であり、前記対物レンズは、前記光ディスクで反射した前記レーザ光を、前記誘電体多層膜を介して前記光検出器に供給する。
【００３３】
本発明に係る光ディスク装置では、好適には、前記光ファイバは、可撓性の単一モードの光ファイバであり、前記浮上型光ヘッドの出力信号は、可撓性の信号線を介して前記信号処理回路に供給される。
【００３４】
本発明に係る光ディスク装置では、好適には、前記半導体レーザからの前記レーザ光は強度変調されており、前記レーザ光の強度が変化する周波数は、１００ＭＨｚ〜９００ＭＨｚの範囲内である。
【００３５】
本発明に係る光ディスク装置は、好適には、前記レーザからの前記レーザ光のビーム形状を整形して前記光ファイバに供給する光学部品をさらに有する。
本発明に係る光ディスク装置は、より好適には、前記光学部品からの前記レーザ光を前記光ファイバの端面に集光する集光レンズをさらに有し、前記光学部品および前記集光レンズは、前記シャーシに固定されている。
【００３６】
本発明に係る光ディスク装置は、好適には、トラッキング誤差信号に基づいて前記アームを移動させるアクチュエータをさらに有し、前記信号処理回路は、前記浮上型光ヘッドの出力信号に基づいて前記トラッキング誤差信号を生成する。
【００３７】
光ファイバから放射されたレーザ光をハーフミラーで反射して対物レンズに供給し、対物レンズにより光ディスクに集光することで、光導波路素子を用いる場合に比べ、レーザ光の利用効率を向上可能であると共に、ハーフミラーおよび光ファイバの配置の精度を低減可能である。
光ディスクで反射した反射レーザ光に応じた出力信号を生成する光検出器を浮上型光ヘッドに設けることで、反射レーザ光を再び光ファイバに送り込む場合に比べ、レーザ光の利用効率を向上可能であると共に、ミラーおよび光ファイバの配置の精度を低減可能である。
【００３８】
【発明の実施の形態】
以下、本発明の実施の形態を、添付図面を参照して説明する。
【００３９】
図７は、本発明に係る光ディスク装置の実施の形態を示す概略的な構成図である。
この光ディスク装置９０は、アクチュエータ４５と、アーム７２と、光ファイバ７１と、信号線７９と、光ヘッド５０Ａと、固定部５０Ｂと、モータ３０と、信号処理回路９５と、シャーシ９９とを有する。光ヘッド５０Ａは、アーム７２の先端部のうち光ディスク８０側の面である底面に取り付けてある。
【００４０】
光ディスク装置９０は、光ピックアップを、固定部５０Ｂと、可動部である光ヘッド５０Ａとに分離した構成である。
固定部５０Ｂおよび信号処理回路９５は、シャーシ９９に取り付けられて固定されており、光ヘッド５０Ａはディスク半径方向に移動可能である。
【００４１】
固定部５０Ｂは、半導体レーザを有し、この半導体レーザからのレーザ光を光ファイバ７１に送り込む。
光ヘッド５０Ａは、光ファイバ７１からのレーザ光を光ディスク８０に集光する。光ディスク８０は、光ヘッド５０Ａからのレーザ光ＬＢが照射され、当該レーザ光ＬＢを反射して光ヘッド５０Ａに戻す。
光ヘッド５０Ａは、光ディスク８０で反射したレーザ光（反射レーザ光）を受光して受光信号Ｓｐを生成し、この受光信号Ｓｐを信号線７９を介して信号処理回路９５に供給する。信号線７９は可撓性を有しており、撓むことができる。
【００４２】
信号処理回路９５は、信号線７９からの受光信号Ｓｐに基づいて光ディスク８０の記録情報を検出し、当該記録情報を信号Ｓｏとして出力する。
また、信号処理回路９５は、モータ駆動信号Ｓｍを生成する。モータ３０は、モータ駆動信号Ｓｍに基づいて光ディスク８０を所定の回転速度で回転させる。
【００４３】
また、信号処理回路９５は、駆動信号Ｓｃを生成する。アクチュエータ４５は、駆動信号Ｓｃに基づいてアーム７２を方向Ａまたはその反対方向に移動させることにより、光ヘッド５０Ａを光ディスク８０の半径方向または反半径方向に移動させる。
【００４４】
図８は、図７中の光ヘッドおよびその周辺を拡大した概略的な構成図である。
この光ヘッド５０Ａは、ハーフミラー２４と、光検出器２９と、対物レンズ２とを有する。
ハーフミラー２４は、光ファイバ７１の端面から放射されたレーザ光を反射して対物レンズ２に供給する。
【００４５】
対物レンズ２は、ハーフミラー２４からのレーザ光を光ディスク８０の記録面に照射する。対物レンズ２からのレーザ光ＬＢは、光ディスク８０の記録面のトラックに焦点を結ぶ。
また、対物レンズ２は、光ディスク８０の記録面で反射したレーザ光（反射レーザ光）をハーフミラー２４に戻す。
ハーフミラー２４は、対物レンズ２からの反射レーザ光を透過して光検出器２９に供給する。
光検出器２９は、対物レンズ２からの反射レーザ光を受光して受光信号Ｓｐを生成し、この受光信号Ｓｐを信号線７９を介して信号処理回路９５に供給する。
【００４６】
図９は、図７中の固定部および信号処理回路を示す概略的な構成図である。
固定部５０Ｂは、半導体レーザ４と、コリメータレンズ５と、ビーム整形用の光学部品９と、集光レンズ７とを有する。
【００４７】
半導体レーザ４は、信号処理回路９５からのレーザ駆動信号ＳＬに基づいてレーザ光を生成し、当該レーザ光をコリメータレンズ５に供給する。
コリメータレンズ５は、半導体レーザ４からのレーザ光を平行光（コリメート光）にして光学部品９に供給する。
【００４８】
ビーム整形用の光学部品９は、コリメータレンズ５からの平行光を、光ファイバ７１に対して効率良くカップリングするために、当該平行光のビーム形状を整形して集光レンズ７に供給する。この光学部品９は、例えばアナモルフィックプリズム（anamorphic prism）により構成してもよい。
なお、半導体レーザ４、光学部品９および集光レンズ７は、印刷基板等の所定の部材を介してシャーシ９９に固定してもよく、半導体レーザ４、光学部品９および集光レンズ７に対応する固定用の部材によりシャーシ９９にそれぞれ固定してもよい。
【００４９】
集光レンズ７は、光学部品９からのレーザ光を光ファイバ７１の端面に集光し、当該レーザ光を光ファイバ７１に送り込む。
この光ファイバ７１は、可撓性の単一モードの光ファイバとすることが望ましい。単一モードの光ファイバを用いることで、光ファイバから放射されるレーザ光をガウスビーム（Gaussian beam ）とすることができ、光軸に垂直なビーム断面形状を円形または略円形にすることが可能である。また、光ファイバ７１は、可撓性を有することで、光ヘッドの移動に対し、撓むことにより柔軟な対応が可能である。
なお、光ファイバ７１は、直径が１００μｍ程度のグラス・ファイバにより構成してもよい。
【００５０】
一方、信号処理回路９５は、増幅回路５２と、生成回路６０と、補償回路４０と、情報検出回路６５と、モータ駆動回路３５と、制御回路７０と、レーザ駆動回路５５とを有する。
【００５１】
制御回路７０は、光ディスク装置９０の全体の制御を司るコントローラであり、例えばマイクロコンピュータ（マイコン）により構成する。
この制御回路７０は、モータ３０、モータ駆動回路３５、レーザ駆動回路５５、半導体レーザ４、生成回路６０、補償回路４０、情報検出回路６５等を制御する。
【００５２】
レーザ駆動回路５５は、制御回路７０の制御下でレーザ駆動信号ＳＬを生成し、この駆動信号ＳＬにより半導体レーザ４を駆動し、半導体レーザ４からレーザ光を出力させる。
レーザ駆動信号ＳＬは、半導体レーザ４からのレーザ光を強度変調するような信号であることが望ましい。一例として、レーザ光の強度が変化する周波数は、１００ＭＨｚ〜９００ＭＨｚ（好ましくは２５０ＭＨｚ〜８００ＭＨｚ）の範囲内の一定または略一定の周波数とする。このように強度変調することで、光ディスク８０からの戻りレーザ光が半導体レーザ４に戻ってきた場合に、半導体レーザ４の動作を安定化することが可能である。
【００５３】
モータ３０は、例えば、スピンドルモータにより構成され、光ディスク８０を所定の回転速度で回転させる。このモータ３０は、一例として線速度が一定になるように光ディスク８０を回転させる。
【００５４】
モータ駆動回路３５は、モータ駆動信号Ｓｍを生成し、このモータ駆動信号Ｓｍによりモータ３０の駆動制御を行う。このモータ駆動回路３５は、ＰＷＭ（Pulse Width Modulation）制御によりモータ３０の回転を制御してもよく、ＰＬＬ（Phase Locked Loop ）制御によりモータ３０の回転を制御してもよい。
【００５５】
増幅回路５２は、信号線７９からの受光信号Ｓｐを増幅して生成回路６０に供給する。
生成回路６０は、増幅回路５２からの増幅された受光信号Ｓｐに基づき、レーザ光の反射光量に応じた再生信号ＲＦ、トラッキング誤差信号ＴＥ等の信号を生成する。
例えば、光検出器２９の受光部は、複数領域に等分割または略等分割された構成とし、生成回路６０は、各分割領域の受光信号に基づき、プッシュプル法によりトラッキング誤差信号ＴＥを生成し、各分割領域の受光信号の和信号に基づき、再生信号ＲＦを生成する構成としてもよい。
【００５６】
補償回路４０は、トラッキング誤差信号ＴＥを補償（位相補償および／または周波数補償）した補償信号Ｓｃを生成し、この補償信号Ｓｃを図７中のアクチュエータ４５に供給する。
【００５７】
アクチュエータ４５は、補償信号Ｓｃに基づき、アーム７２を光ディスク８０の表面に沿って方向Ａまたはその反対方向に移動させることにより、光ヘッド５０Ａを光ディスク８０の半径方向または反半径方向に移動させる。このようにして、トラッキングサーボが実現される。
例えば、アーム７２は、スイングアームまたはスライド式のアームとしてもよく、アクチュエータ４５は、送り機構を用いてアーム７２を駆動してもよい。
【００５８】
情報検出回路６５は、生成回路６０から再生信号ＲＦが供給され、再生信号ＲＦの復調等を行って光ディスク８０の記録情報を再生し、再生した記録情報を信号Ｓｏとして出力する。
また、情報検出回路６５は、再生信号ＲＦから光ディスク８０のアドレスを検出し、当該アドレスに基づいて記録情報の再生を行う。
【００５９】
図１０は、図８の光ヘッド５０Ａを具体化した構成図である。
この光ヘッド５０Ａは、ＩＣチップ７４と、プリズム７５と、台座７６と、対物レンズ２と、スライダ７８と、サスペンション７３とを有し、フライングヘッド（浮上型光ヘッド）を構成している。
【００６０】
アーム７２の底面（下面）には、サスペンション７３が取り付けてあり、又はサスペンション７３が形成されている。
また、アーム７２の下面の先端部には、ＩＣチップ７４の上面が接合されている。
ＩＣチップ７４は、不図示の電源線により駆動電力が供給されるようになっている。また、ＩＣチップ７４は、可撓性の信号線７９により、ＩＣチップ７４の出力信号を取り出すことができると共に、ＩＣチップ７４に信号を供給することができるようになっている。なお、信号線７９は、銅などの金属の極細線に薄い絶縁皮膜を施した構成としてもよい。
【００６１】
ＩＣチップ７４の下面には、プリズム７５の上面と台座（サブマウント）７６の上面とが接合されている。
台座７６の下面には、光ファイバ７１が接合されている。例えば、台座７６の下面にＶ字溝を形成し、当該Ｖ字溝に光ファイバ７１がはめ込まれるように、光ファイバ７１を接着剤で固着する。なお、台座７６は、ＩＣチップ７４と同一の材料とすることが望ましい。
サスペンション７３の先端部には、スライダ７８が取り付けてあり、またはスライダ７８が形成されている。このスライダ７８には、対物レンズ２が取り付けてあり、または対物レンズ２が形成されている。
【００６２】
プリズム７５の傾斜面にはハーフミラー２４が形成されている。ハーフミラー２４は、光ファイバ７１の端面から放射されたレーザ光を反射して対物レンズ２に供給する。
対物レンズ２は、ハーフミラー２４からのレーザ光を光ディスク８０のトラックに集光し、光ディスク８０の記録面に焦点を結像させる。また、対物レンズ２は、光ディスク８０の記録面で反射したレーザ光（戻りレーザ光）を、ハーフミラー２４に戻す。
【００６３】
ハーフミラー２４は、対物レンズ２からの戻りレーザ光を透過してプリズム７５の傾斜面に供給する。プリズム７５の傾斜面は、ハーフミラー２４を透過した戻りレーザ光をＩＣチップ７４に供給する。
なお、ハーフミラー２４は、光ファイバ７１の端面の方向からのレーザ光を反射し、対物レンズ２の方向からのレーザ光を透過する多層膜により構成されている。
【００６４】
ＩＣチップ７４の下面には、光検出器２９が形成されている。この光検出器２９は、第１および第２の光検出器２９Ａ，２９Ｂを有する。
プリズム７５の傾斜面を透過した戻りレーザ光は、第１の光検出器２９Ｂ上に集光して反射し、プリズム７５の下面で再度反射し、第２の光検出器２９Ａ上に集光する。なお、プリズム７５の下面には不図示の反射膜が形成されている。
ＩＣチップ７４は、光検出器２９Ａ，２９Ｂの出力信号（受光信号）Ｓｐを信号線７９を介して信号処理回路９５に供給する。
【００６５】
なお、信号処理回路９５内の増幅回路５２および生成回路６０を、ＩＣチップ７４に組み込むことが可能である。
また、光検出器２９を６分割光検出器とし、光検出器２９Ａ，２９Ｂを３分割光検出器とすることで、Ｄ−３ＤＦ（Differential - 3 Devided Focusing ）によりフォーカス誤差信号を生成可能であり、プッシュプル法によりトラッキング誤差信号を生成可能であり、光検出器２９Ａまたは光検出器２９Ｂの出力信号の和により再生信号ＲＦを生成可能である。
さらに、ＩＣチップ７４は、信号線７９を介して、トラッキング誤差信号ＴＥを補償回路４０に供給し、再生信号ＲＦを情報検出回路６５に供給することが可能である。
【００６６】
光ディスク装置９０では、光源であると共に発熱源である半導体レーザ４を固定部５０Ｂに配置することで、半導体レーザ４を備えた光ヘッドに比べ、光ヘッドの小型化が可能であり、光ヘッドを素早く移動させることが可能である。
例えば、半導体レーザ４を光ヘッドに設けるには、半導体レーザの発熱対策用の放熱部品や、半導体レーザを保護する気密容器等が必要であるが、光ヘッド５０Ａでは、当該放熱部品および気密容器が不要であり、この点で小型化が可能である。
【００６７】
また、光ヘッド５０Ａの発熱が小さいので、光ヘッド５０Ａの熱設計を不要とすることができ、設計および製造が容易であって経時変化の小さい光ヘッド５０Ａを得ることができる。
このように、軽量で小型の光ヘッド５０Ａを用いることで、光ディスク装置９０の小型化が可能であると共に、光ディスク８０への高速アクセスが可能である。
【００６８】
また、光ヘッド５０Ａは、光ファイバ７１から放射されたレーザ光をミラーで反射して対物レンズ２に供給するので、光ファイバ７１からのレーザ光を光導波路素子に送り込むための集光レンズを高精度に配置することが不要となり、当該集光レンズおよび光導波路素子が不要となり、製造の容易な光ヘッド５０Ａを得ることができる。
さらに、振動に対する信頼性が高く、信号品質が高い光ヘッド５０Ａを得ることができる。
また、レーザ光を光導波路素子に送り込む場合の結合損失を回避できるので、半導体レーザ４からのレーザ光の利用効率を向上でき、半導体レーザ４ひいては光ディスク装置９０の消費電力を小さくすることが可能である。
【００６９】
また、光ヘッド５０Ａでは、光ディスク８０からの反射レーザ光（戻りレーザ光）を電気信号である受光信号に変換し、信号線７９により伝送するので、戻りレーザ光を再び光ファイバ７１に送り込むことが不要となる。したがって、戻りレーザ光を再び光ファイバ７１に送り込むための部品の高精度の配置が不要となり、製造の容易な光ヘッド５０Ａを得ることができる。
さらに、振動に対する信頼性が高く、信号品質が高い光ヘッド５０Ａを得ることができる。
【００７０】
なお、上記実施の形態は本発明の例示であり、本発明は上記実施の形態に限定されない。
例えば、図８および図１０において、ハーフミラー２４として又はハーフミラー２４に代えて、誘電体多層膜を用いてもよい。この誘電体多層膜は、光ファイバ７１から放射されたレーザ光を反射して対物レンズ２に供給し、光ディスク８０で反射したレーザ光を透過する。対物レンズ２は、光ディスク８０で反射したレーザ光を、誘電体多層膜を介して光検出器２９に供給する。
【００７１】
【発明の効果】
以上に説明したように、本発明によれば、レーザ光の利用効率を高くすることが可能であると共に、構成部品の配置精度を低減することが可能な光ヘッドと、この光ヘッドを用いた光ディスク装置とを提供することができる。
【図面の簡単な説明】
【図１】本発明に対比される光ディスク装置の第１の例を示す概略的な構成図である。
【図２】図１中の光ヘッドおよびその周辺を拡大した概略的な構成図である。
【図３】図１中の固定部を示す概略的な構成図である。
【図４】本発明に対比される光ディスク装置の第２の例を示す概略的な構成図である。
【図５】図４中の光ヘッドおよびその周辺を拡大した概略的な構成図である。
【図６】図４中の固定部を示す概略的な構成図である。
【図７】本発明に係る光ディスク装置の実施の形態を示す概略的な構成図である。
【図８】図７中の光ヘッドおよびその周辺を拡大した概略的な構成図である。
【図９】図７中の固定部および信号処理回路を示す概略的な構成図である。
【図１０】図８の光ヘッド５０Ａを例示した構成図である。
【符号の説明】
２…対物レンズ、３…ビームスプリッタ、４…半導体レーザ、５…コリメータレンズ、７，２６…集光レンズ、８，２８…光検出器、９…光学部品、２５…ミラー、２７…光導波路素子、３０…モータ、３５…モータ駆動回路、４５…アクチュエータ、５０Ａ，５０Ａ1 ，５０Ａ2 …光ヘッド、５０Ｂ，５０Ｂ1 ，５０Ｂ2 …固定部、５２…増幅回路、５５…レーザ駆動回路、６０…生成回路、６５…情報検出回路、７０…制御回路、７１…光ファイバ、７２，７２1 …アーム、７９，７９2 …信号線、８０…光ディスク、９０，９０1 ，９０2 …光ディスク装置、９５，９５1 ，９５2 …信号処理回路、９９…シャーシ、ＬＢ，ＬＢ1 ，ＬＢ2 …レーザ光、Ｓｃ…補償信号、ＳＬ…レーザ駆動信号、Ｓｍ…モータ駆動信号、Ｓｐ，Ｓｑ…受光信号（出力信号）、ＴＥ…トラッキング誤差信号、ＲＦ…再生信号。
【図１】
0004586242.tif 000002
【図２】
0004586242.tif 000003
【図３】
0004586242.tif 000004
【図４】
0004586242.tif 000005
【図５】
0004586242.tif 000006
【図６】
0004586242.tif 000007
【図７】
0004586242.tif 000008
【図８】
0004586242.tif 000009
【図９】
0004586242.tif 000010
【図１０】
0004586242.tif 000011